(57)【要約】 【課題】  遊技機の操作感を向上する。【解決手段】  遊技球１７を遊技面１９に発射する遊技球発射装置５１を備えたパチンコ機１に取り付けられ、該遊技球発射装置５１に発射強度を指令する発射強度調整ハンドル７において、  上記パチンコ機１に取り付けられた固定部材３９と、  上記固定部材３９に沿って移動可能に取り付けられ、移動量に応じて上記遊技球発射装置５１に発射強度を指令する回転操作部材４１と、  上記固定部材３９と、上記回転操作部材４１とによって形成され、所定の収納形状を有する複数の収納部８７、８９、９１とを備え、  上記複数の収納部８７、８９、９１は、  それぞれ相違する収納形状を有することを特徴とする発射強度調整ハンドル７。【選択図】図２
2005245690.tif 000002
【特許請求の範囲】
【請求項１】
遊技球を遊技領域に発射する発射手段を備えた遊技機に取り付けられ、該発射手段に発射強度を指令する発射強度調整ハンドルにおいて、
上記遊技機に取り付けられた固定部材と、
上記固定部材に沿って移動可能に取り付けられ、移動量に応じて上記発射手段に発射強度を指令する可動部材と、
上記固定部材と、上記可動部材とによって形成され、所定の収納形状を有する複数の収納部とを備え、
上記複数の収納部は、
それぞれ相違する収納形状を有することを特徴とする発射強度調整ハンドル。
【請求項２】
上記固定部材と、上記可動部材とによって形成された収納部は、所定形状の被収納物を収納した場合に、上記固定部材及び上記可動部材から該被収納物に所定の圧力が加えられる形状を有すると共に、該加えられる圧力が、上記それぞれ相違する収納形状に同一形状の被収納物を収納した場合に、それぞれ相違することを特徴とする請求項１に記載の発射強度調整ハンドル。
【請求項３】
上記可動部材は、発射手段の発射強度を弱くする方向に移動させる付勢力を発生する付勢部材に連結され、
上記収納部は、遊技球状の被収納物を収納した場合に、上記付勢部材による付勢力に抗して、上記可動部材の移動を阻止する収納形状を有することを特徴とする請求項１、又は請求項２に記載の発射強度調整ハンドル。
【請求項４】
上記可動部材は、発射手段の発射強度を弱くする方向に移動させる付勢力を発生する付勢部材に連結され、
上記収納部は、板状の被収納物を収納した場合に、上記付勢部材による付勢力に抗して、上記可動部材の移動を阻止する収納形状を有することを特徴とする請求項１、又は請求項２に記載の発射強度調整ハンドル。
【請求項５】
複数の上記収納部は、同一形状の被収納物を収納した場合に、上記付勢部材の付勢力が増大する側程、可動部材の移動を阻止する力が増大する収納形状を有することを特徴とする請求項３、又は請求項４に記載の発射強度調整ハンドル。
【請求項６】
上記収納部による可動部材の移動を阻止する力の目安表示を上記固定部材、上記可動部材、或いは遊技機に設けたことを特徴とする請求項１ないし請求項５の何れかに記載の発射強度調整ハンドル。
【請求項７】
上記可動部材に設けられた阻止する力の目安表示は、該可動部材の収納部の近傍に設けられることを特徴とする請求項６に記載の発射強度調整ハンドル。
【請求項８】
上記収納部は、該収納部内に収納された被収納物を排出操作する排出部材を有することを特徴とする請求項１ないし請求項７の何れかに記載の発射強度調整ハンドル。
【請求項９】
上記収納部は、所定の収納形状を有する収納室と、該収納室の前後の両側に形成された前開口と後開口とを備え、該前開口及び／又は該後開口の何れを経由しても上記収納室に被収納物を入れ、及び／又は該収納室から出すことが可能に構成されていることを特徴とする請求項１ないし請求項８の何れかに記載の発射強度調整ハンドル。
【請求項１０】
上記収納部は、該収納部に被収納物を入れる入口を備え、
上記入口は、上記収納部内より広めたことを特徴とする請求項１ないし請求項９の何れかに記載の発射強度調整ハンドル。
【請求項１１】
上記入口は、上記収納部内と、該入口との境界部分を切り欠いた形状の切欠き部を備えることを特徴とする請求項１０に記載の発射強度調整ハンドル。
【請求項１２】
上記切欠き部は、円弧状に成形されていることを特徴とする請求項１１に記載の発射強度調整ハンドル。
【発明の詳細な説明】
【技術分野】
【０００１】
本発明は、遊技機に取り付けられ、遊技球を発射する発射手段に発射強度を指令する発射強度調整ハンドルに関する。
【背景技術】
【０００２】
従来、発射強度調整ハンドルは、遊技球の発射強度を所望の状態にするために用いられるが、この発射強度を所望の状態に保持するためには、固定部材に回動可能に取り付けられた可動部材を同じ位置で保持する必要がある。ところが、この可動部材は、回動自在であることに加え、常に発射強度を弱くする方向に引き戻される様に構成されているため、可動部材を同一状態で保持することは、難しく、且つ遊技者に負担を強いることになる。そこで、可動部材を遊技球で固定出来るようにすることで、遊技者の負担を低減しようとした技術が開示されている。
【０００３】
このような技術では、可動部材を遊技球で固定するために、可動部材の指止めに当たる部分に遊技球を収納する収納部を１箇所形成し、この収納部に遊技球を収納しておくと、可動部材を回動操作した場合に、遊技球が固定部材に押しつけられて、可動部材が逆戻りし難くなるものや（特許文献１参照。）、固定部材側にメダルやコインなどの板状部材を収納する凹状の収納部を１箇所形成し、この収納部に板状部材を収納しておくと、可動部材を回動操作した場合に、板状部材が可動部材に押しつけられて、可動部材が逆戻りし難くなるものがある（特許文献２参照）。
【特許文献１】特開平８−１９６６９６号  公報  図１、図２
【特許文献２】特開２００２−２１００９７号  公報  図２、図６
【発明の開示】
【発明が解決しようとする課題】
【０００４】
しかしながら、この様な従来の技術では、可動部材を固定部材に固定する力が一定であることから、遊技者の遊技状態を反映した操作や老若男女の操作力に合った操作を行おうとした場合に不具合が発生する虞があった。
【０００５】
例えば、遊技状態に応じて頻繁に発射強度を変更したい場合には、可動部材の固定強度が強すぎて、非力な老人や女性では、可動部材を固定したままでの操作に不具合を感じることがある。
【０００６】
この為、可動部材を固定したり、解除したりを頻繁に行う必要が生じ、煩わしさを感じることが考えられる。
又、可動部材の固定強度が弱い場合には、現在の発射強度を保持したままで遊技を継続したいと思っても、可動部材が徐々に移動してしまって、発射強度の維持が難しい場合があった。この為、所望の発射強度を維持するために、常に注意を払う必要が生じ、煩わしさを感じることが考えられる。
【０００７】
その上、遊技機の使用期間が長くなると収納部が摩耗したり、変形したりして、固定強度が徐々に低下し、可動部材の固定機能が使用不能になると言う、耐久性の低下要因になることが考えられる。
【０００８】
そこで、本発明では、遊技状態や老若男女に応じた、適切な可動部材の固定強度の提供を可能にすることで、遊技者が不満を感じることなく遊技を継続できる様にして、結果として、顧客満足度を向上することを目的とする。
【０００９】
又、その固定強度の選択や変更を簡単で、かつ煩わしい操作を行うことなく実行可能にすることで、使いやすい遊技機の提供を図り、結果として遊技者の顧客満足度を向上することを目的とする。
【００１０】
しかも、この様な適切な固定強度の選択や変更を試行錯誤を行うことなく、適切に実行出来るようにすることで、遊技者が誤った使い方をして、機能が十分に発揮できないままで使用され続ける弊害を防止することが出来るようにすることで、結果として顧客満足度を向上することを目的とする。
【課題を解決するための手段】
【００１１】
上記課題を解決するための手段として、請求項１の発明の発射強度調整ハンドルは、遊技球を遊技領域に発射する発射手段を備えた遊技機に取り付けられ、該発射手段に発射強度を指令する発射強度調整ハンドルにおいて、上記遊技機に取り付けられた固定部材と、上記固定部材に沿って移動可能に取り付けられ、移動量に応じて上記発射手段に発射強度を指令する可動部材と、上記固定部材と、上記可動部材とによって形成され、所定の収納形状を有する複数の収納部とを備え、上記複数の収納部は、それぞれ相違する収納形状を有することを要旨とする。
【００１２】
これにより、収納部を構成する固定部材と可動部材とは、相互の間隔がほぼ変化することなく固定部材に対して可動部材が移動可能である。
この様に相互の間隔がほぼ変化することのない収納部に所定の形状を有する被収納物を収納すると、被収納物の形状や大きさに応じて、固定部材と、可動部材とが被収納物から所定の押圧を受ける。
【００１３】
これにより、収納部に想定している被収納物、例えば遊技球を収納した場合に、固定部材に沿って可動部材を移動させようとすると、可動部材が所定の大きさの抵抗を受ける。例えば、可動部材を移動させる力を加えなくすると可動部材の移動が阻止される。又、収納部の収納形状が相違すると、固定部材の収納形状の各部と、可動部材の収納形状の各部との相互間隔が相違することになり、同一の被収納物を収納部に収納すると、相互間に働く押圧力が相違する。従って、収納部によって、可動部材の移動を阻止しようとする力が相違することになる。
【００１４】
即ち、複数の収納部は、それぞれ相違する力で可動部材の移動を阻止する力を発生することになり、例えば、それぞれに想定する被収納物を入れた場合に、それぞれが想定する強度で可動部材の移動を阻止すると共に、可動部材を固定部材に固定する。
【００１５】
請求項２の発明の発射強度調整ハンドルは、上記固定部材と、上記可動部材とによって形成された収納部は、所定形状の被収納物を収納した場合に、上記固定部材及び上記可動部材から該被収納物に所定の圧力が加えられる形状を有すると共に、該加えられる圧力が、上記それぞれ相違する収納形状に同一形状の被収納物を収納した場合に、それぞれ相違することを特徴とする請求項１に記載の発射強度調整ハンドルを要旨とする。
【００１６】
これにより、請求項１と同様に作用して、所定の同一形状を有する被収納物の形状や大きさに応じて、固定部材及び可動部材が被収納物から所定の押圧を受け、複数の収納部は、それぞれ相違する力で可動部材の移動を阻止する力を発生することになり、例えば、それぞれに想定する同一形状の被収納物を入れた場合に、それぞれが想定する強度で可動部材の移動を阻止すると共に、可動部材を固定部材に固定する。
【００１７】
請求項３の発明の発射強度調整ハンドルは、上記可動部材は、発射手段の発射強度を弱くする方向に移動させる付勢力を発生する付勢部材に連結され、上記収納部は、遊技球状の被収納物を収納した場合に、上記付勢部材による付勢力に抗して、上記可動部材の移動を阻止する収納形状を有することを特徴とする請求項１、又は請求項２に記載の発射強度調整ハンドルを要旨とする。
【００１８】
これにより、請求項１や請求項２と同様に作用して、遊技球状の被収納物の形状や大きさに応じて、可動部材が被収納物から所定の押圧を受け、複数の収納部は、それぞれ相違する力で、付勢部材からの付勢力を受ける可動部材の移動を阻止する力を発生することになり、例えば、それぞれに遊技球を入れた場合に、それぞれが想定する強度で可動部材の移動を阻止する。
【００１９】
請求項４の発明の発射強度調整ハンドルは、上記可動部材は、発射手段の発射強度を弱くする方向に移動させる付勢力を発生する付勢部材に連結され、上記収納部は、板状の被収納物を収納した場合に、上記付勢部材による付勢力に抗して、上記可動部材の移動を阻止する収納形状を有することを特徴とする請求項１、又は請求項２に記載の発射強度調整ハンドルを要旨とする。
【００２０】
これにより、請求項１や請求項２と同様に作用して、板状の被収納物の形状や大きさに応じて、可動部材が被収納物から所定の押圧を受け、複数の収納部は、それぞれ相違する力で、付勢部材からの付勢力を受ける可動部材の移動を阻止する力を発生することになり、例えば、それぞれにコインやメダル、或いは紙片などの板状の被収納物を入れた場合に、それぞれが想定する強度で可動部材の移動を阻止する。
【００２１】
請求項５の発明の発射強度調整ハンドルは、複数の上記収納部は、同一形状の被収納物を収納した場合に、上記付勢部材の付勢力が増大する側程、可動部材の移動を阻止する力が増大する収納形状を有することを特徴とする請求項３、又は請求項４に記載の発射強度調整ハンドルを要旨とする。
【００２２】
これにより、請求項３や請求項４と同様の作用が得ることに加え、複数の収納部の収納形状は、同一形状の被収納物を収納した場合に、付勢部材の付勢力が増大する側程、つまり、発射強度が強い側程、可動部材の移動を阻止する力が増大する。
【００２３】
請求項６の発明の発射強度調整ハンドルは、上記収納部による可動部材の移動を阻止する力の目安表示を上記固定部材、上記可動部材、或いは遊技機に設けたことを特徴とする請求項１ないし請求項５の何れかに記載の発射強度調整ハンドルを要旨とする。
【００２４】
これにより、請求項１ないし請求項５と同様の作用が得られることに加え、可動部材の固定の程度が、固定部材、可動部材、或いは遊技機に設けられた目安表示によって表示される。従って、目安表示を見ることで、可動部材の固定の程度の目安を付けることが可能になる。又、可動部材の移動に伴って収納部が移動する場合には、可動部材に目安表示が施されていると、可動部材が移動しても、収納部と目安表示との位置関係が変化しない。
【００２５】
請求項７の発明の発射強度調整ハンドルは、上記可動部材に設けられた阻止する力の目安表示は、該可動部材の収納部の近傍に設けられることを特徴とする請求項６に記載の発射強度調整ハンドルを要旨とする。
【００２６】
これにより、可動部材の収納部の近傍に目安表示が設けられることで、収納部の固定強度の理解が容易になる。又、誤って収納部の固定強度を理解してしまうことが防止される。
【００２７】
請求項８の発明の発射強度調整ハンドルは、上記収納部は、該収納部内に収納された被収納物を排出操作する排出部材を有することを特徴とする請求項１ないし請求項７の何れかに記載の発射強度調整ハンドルを要旨とする。
【００２８】
これにより、請求項１ないし請求項７と同様な作用が得られることに加え、収納部に収納された被収納物を排出部材で取り外すことが可能になる。
又、全ての収納部は、該収納部内に収納された被収納物を排出操作する排出部材を有することで、何れの収納部に収納された被収納物をも容易に取り出すことが可能になる。
【００２９】
請求項９の発明の発射強度調整ハンドルは、上記収納部は、所定の収納形状を有する収納室と、該収納室の前後の両側に形成された前開口と後開口とを備え、該前開口及び／又は該後開口の何れを経由しても上記収納室に被収納物を入れ、及び／又は該収納室から出すことが可能に構成されていることを特徴とする請求項１ないし請求項８の何れかに記載の発射強度調整ハンドルを要旨とする。
【００３０】
これにより、請求項１ないし請求項８と同様な作用が得られることに加え、収納部の前開口、又は後開口から被収納物を収納室に入れることが可能になる。
又、収納室に入っている被収納物を、前開口、または後開口から出すことが可能になる。
【００３１】
従って、例えば、遊技の開始時に、被収納物を前開口から収納室に挿入し、その後、遊技の終了時に、前開口から被収納物を指で後開口側に押し出すと言ったことが可能になる。
【００３２】
請求項１０の発明の発射強度調整ハンドルは、上記収納部は、該収納部に被収納物を入れる入口を備え、上記入口は、上記収納部内より広めたことを特徴とする請求項１ないし請求項９の何れかに記載の発射強度調整ハンドルを要旨とする。
【００３３】
これにより、請求項１ないし請求項９と同様の作用を有することに加え、収納部の入口が収納部内より広められていることにより、被収納物を収納部に入れる場合に、目標となる範囲が広くなる。
【００３４】
従って、手探りで被収納物を収納部に入れる場合に、入口を探り当て易くなると共に、収納部への収納も広い入り口から狭い収納部に徐々に挿入される状態になり、スムースな挿入が可能になる。
【００３５】
請求項１１の発明の発射強度調整ハンドルは、上記入口は、上記収納部内と、該入口との境界部分を切り欠いた形状の切欠き部を備えることを特徴とする請求項１０に記載の発射強度調整ハンドルを要旨とする。
【００３６】
これにより、請求項１０の入れ易くする作用が、収納部内と、入口との境界部分を切り欠いた形状の切欠き部を設けるだけで得られる。
請求項１２の発明の発射強度調整ハンドルは、上記切欠き部は、円弧状に成形されていることを特徴とする請求項１１に記載の発射強度調整ハンドルを要旨とする。
【００３７】
請求項１１の切り欠いた形状の切欠き部が円弧状であるため、被収納物の挿入時にぶつかったり、引っかかったり等の障害となり難くなると共に、被収納物の挿入時に破損したり、汚損したりし難くなる。
【発明の効果】
【００３８】
請求項１の発明の発射強度調整ハンドルは、複数の収納部が、それぞれ相違する力で可動部材の移動を阻止する力を発生する機能を有し、例えば、それぞれに想定する被収納物を入れた場合に、それぞれが想定する強度で可動部材の移動を阻止すると共に、可動部材を固定部材に固定することから、遊技状態や遊技者の操作力に応じた、適切な可動部材の固定強度の選択を可能にして、遊技者が不満を感じることなく遊技を継続できる様になり、顧客満足度を向上するという極めて優れた効果を奏する。
【００３９】
又、その固定強度の選択や変更が収納部に被収納物を収納するだけという簡単で、かつ煩わしい操作を行うことなく実行可能であり、使いやすい遊技機が提供されて、顧客満足度を向上するという極めて優れた効果を奏する。
【００４０】
請求項２の発明の発射強度調整ハンドルは、請求項１と同様に、複数の収納部が、それぞれ相違する力で可動部材の移動を阻止する力を発生する機能を有し、例えば、それぞれに想定する同一形状の被収納物を入れた場合に、それぞれが想定する強度で可動部材の移動を阻止すると共に、可動部材を固定部材に固定することから、遊技状態や遊技者の操作力に応じた、適切な可動部材の固定強度の選択を可能にして、遊技者が不満を感じることなく遊技を継続できる様になり、顧客満足度を向上するという極めて優れた効果を奏する。
【００４１】
又、その固定強度の選択や変更が収納部に被収納物を収納するだけという簡単で、かつ煩わしい操作を行うことなく実行可能であり、使いやすい遊技機が提供されて、顧客満足度を向上するという極めて優れた効果を奏する。
【００４２】
請求項３の発明の発射強度調整ハンドルは、請求項１や請求項２と同様に、複数の収納部が、それぞれ相違する力で、付勢部材によって発射強度を弱くする方向に付勢されている可動部材の移動を阻止する力を発生する機能を有し、例えば、それぞれに遊技球を入れた場合に、それぞれが想定する強度で可動部材の移動を阻止すると共に、可動部材を固定部材に固定することから、遊技状態や遊技者の操作力に応じた、適切な可動部材の固定強度の選択を可能にして、遊技者が不満を感じることなく遊技を継続できる様になり、顧客満足度を向上するという極めて優れた効果を奏する。
【００４３】
又、その固定強度の選択や変更が収納部に遊技球状の被収納物を収納するだけという簡単で、かつ煩わしい操作を行うことなく実行可能であり、使いやすい遊技機が提供されて、顧客満足度を向上するという極めて優れた効果を奏する。
【００４４】
請求項４の発明の発射強度調整ハンドルは、請求項１や請求項２と同様に、複数の収納部が、それぞれ相違する力で、付勢部材によって発射強度を弱くする方向に付勢されている可動部材の移動を阻止する力を発生する機能を有し、例えば、それぞれにメダルやコインを入れた場合に、それぞれが想定する強度で可動部材の移動を阻止すると共に、可動部材を固定部材に固定することから、遊技状態や遊技者の操作力に応じた、適切な可動部材の固定強度の選択を可能にして、遊技者が不満を感じることなく遊技を継続できる様になり、顧客満足度を向上するという極めて優れた効果を奏する。
【００４５】
又、その固定強度の選択や変更が収納部に板状の被収納物を収納するだけという簡単で、かつ煩わしい操作を行うことなく実行可能であり、使いやすい遊技機が提供されて、顧客満足度を向上するという極めて優れた効果を奏する。
【００４６】
請求項５の発射強度調整ハンドルは、請求項３や請求項４と同様の効果を得られることに加え、発射強度が強い側に位置する収納部に被収納物を収納すると、可動部材を強く固定することが出来、発射強度の強さの感覚と、固定の強さの感覚とが一致することから、遊技状態に合った、或いは遊技嗜好に合った固定強度の選択や変更が試行錯誤を行うことなく、適切に実行出来るようになり、遊技者が誤った使い方をして、機能が十分に発揮できないままで使用され続ける弊害が防止され、顧客満足度が向上されるという極めて優れた効果を奏する。
【００４７】
請求項６の発明の発射強度調整ハンドルは、請求項１ないし請求項５と同様の効果が得られることに加え、固定部材、可動部材、或いは遊技機に設けられた目安表示を見ることで、可動部材の固定の程度の目安を付け、遊技状態に合った、或いは遊技嗜好に合った固定強度の選択や変更が試行錯誤を行うことなく、適切に実行出来るようになり、遊技者が誤った使い方をして、機能が十分に発揮できないままで使用され続ける弊害が防止され、顧客満足度が向上されるという極めて優れた効果を奏する。
【００４８】
又、可動部材の移動に伴って収納部が移動する場合には、可動部材に目安表示が施されていると、可動部材が移動しても、収納部と目安表示との位置関係が変化せず、遊技者に混乱を与えることや遊技者が誤った収納部を選択することを防止することが出来、遊技者の利便性が向上するという効果を奏する。
【００４９】
請求項７の発明の発射強度調整ハンドルは、請求項６の効果に加え、収納部の固定強度の理解が容易になると共に、誤って収納部の固定強度を理解してしまうことが防止され、遊技状態に合った、或いは遊技嗜好に合った固定強度の選択や変更が試行錯誤を行うことなく、適切に実行出来るようになり、遊技者が誤った使い方をして、機能が十分に発揮できないままで使用され続ける弊害が防止され、顧客満足度が向上されるという極めて優れた効果を奏する。
【００５０】
請求項８の発明の発射強度調整ハンドルは、請求項１ないし請求項７と同様な効果が得られることに加え、収納部に収納した被収納物を取り外すことが容易になり、遊技状態に応じて固定強度を変更する作業が容易になる。
【００５１】
従って、遊技状態に応じて、適切な可動部材の固定強度の選択を行うことが容易になることで、遊技者が不満やストレスを感じることなく遊技を継続できる様になり、顧客満足度を向上するという極めて優れた効果を奏する。
【００５２】
請求項９の発明の発射強度調整ハンドルは、請求項１ないし請求項８と同様な効果が得られることに加え、収納部の前開口、又は後開口から被収納物を収納室に入れることが可能になる。
【００５３】
又、収納室に入っている被収納物を、前開口、または後開口から出すことが可能になる。
従って、例えば、遊技の開始時に、被収納物を前開口から収納室に挿入し、その後、遊技の終了時に、前開口から被収納物を指で後開口側に押し出すと言ったことが可能になるため、被収納物の脱着が容易で且つ手軽に行え、発射強度調整ハンドルの使用感が向上されるという極めて優れた効果を奏する。
【００５４】
しかも、被収納物を収納部から押し出すための排出部材を収納部に設けなくても良くなり、設計が簡素化されると共に、部品数の削減効果と、組み立て工数の低減効果とを得られるという優れた効果を奏する。
【００５５】
その上、収納部内が見えるようになって、収納部内に被収納物が入っているか否かが容易に確認可能になり、又、収納部内から被収納物を可動部材の位置に関わりなく、取り出したり、或いは被収納物を収納部内に入れることが可能になり、遊技者の利便性が向上されるという効果を奏する。
【００５６】
請求項１０の発明の発射強度調整ハンドルは、請求項１ないし請求項９と同様の効果を有することに加え、収納部の入口が収納部内より広められていることにより、被収納物を収納部に入れる場合に、目標となる範囲が広くなる。
【００５７】
従って、手探りで被収納物を収納部に入れる場合に、入口を探り当て易くなると共に、収納部への収納も広い入り口から狭い収納部に徐々に挿入される状態になり、スムースな挿入が可能になり、使用感が向上されるという優れた効果を奏する。
【００５８】
又、入口部分が被収納物を覆う状態になって、被収納物が収納部外に突出する量が少なくなり、可動部材の操作時に例えば指に触れて、誤って収納部内から脱落したり、指の操作を阻害したりすることがなくなり、使用感がより向上されるという優れた効果を奏する。
【００５９】
請求項１１の発明の発射強度調整ハンドルは、請求項１０の入れ易くなる効果が、収納部内と、入口との境界部分を切り欠いた形状の切欠き部を設けるだけで得られる。
従って、構造が簡素化され、設計の手間の削減と、部品点数の削減と、組み立て工数の削減とを達成することが出来るという優れた効果を奏する。
【００６０】
請求項１２の発明の発射強度調整ハンドルは、請求項１１の切り欠いた形状の切欠き部が円弧状であるため、請求項１１の効果に加え、被収納物の挿入時にぶつかったり、引っかかったり等の障害となり難くなると共に、被収納物の挿入時に破損したり、汚損したりし難くなって、使用感の向上効果と、耐久性の向上効果と、保守の工数の低減効果とを揃って得ることが出来る。
【発明を実施するための最良の形態】
【００６１】
次に発明の実施の形態を説明する。
図１は、遊技機としてのパチンコ機１を前面側から見た正面図である。
パチンコ機１は、慣用されている外枠３と、内枠５と、発射強度調整ハンドル７と、遊技盤９と、鍵飾り１１と、停止ボタン１３と、特別図柄表示装置１５と、始動口２３と、大入賞口２５と、上受け皿２７と、スピーカ２９とを備えている。この構成により、発射強度調整ハンドル７を操作することによって、所望の発射強度に調整された遊技球１７が矢印ＹＡで示すように遊技盤９の遊技面１９に発射されて、始動口２３に遊技球１７が入ると、特別図柄表示装置１５による特別図柄の提供などのパチンコ遊技が提供される。尚、パチンコ機１の構成は、どの様な構成のものであっても良い。又、特にパチンコ遊技に限るものでもない。
【００６２】
図２は発射強度調整ハンドル７の外観図であって、図２の（Ａ）が正面図、図２の（Ｂ）が右側面図、図２の（Ｃ）が背面図、図３は、発射強度調整ハンドル７の組み立て説明図である。
【００６３】
発射強度調整ハンドル７は、桶状の基部３１と、椀状部３３とが合わさった形状に整形された後側支持部材３５と、この後側支持部材３５の椀状部３３に合わされる椀状の前側支持部材３７とが組み合わされて、相互に固定された固定部材３９と、前側支持部材３７と、後側支持部材３５との間に、これら前側支持部材３７と、後側支持部材３５とに沿って回動自在に組み付けられた回転操作部材４１とから構成されている。又、前側支持部材３７は、縁部３７Ａにリング状の金属部３７Ｂを備えている。この金属部３７Ｂは、慣用されているタッチ検出用導体であって、遊技者が発射強度調整ハンドル７を実際に手で操作しているかを検出するためのものである。
【００６４】
固定部材３９を構成する後側支持部材３５は、図２の（Ｃ）に示すようなネジ止め穴４５が３箇所、基部３１の遊技機取付面４３に同心円上に軸対称位置に形成されている。このネジ止め穴４５の間には、図示を省略するリード線用の開口４６が形成されている。
【００６５】
又、基部３１の中心軸には、回転操作部材４１の回転軸４７を通す軸孔４９が形成されている。
この基部３１を取り付ける内枠５の右側下部の図示しないハンドル取付部には、基部３１のネジ止め穴４５に対応したネジ止め穴が形成されると共に、回転操作部材４１の回転軸４７を通す軸用開口が形成されている。
【００６６】
これらにより、発射強度調整ハンドル７は、図示しないハンドル取付部の軸用開口に回転軸４７を通した後、内枠５の裏側（遊技者に面する側と反対側）から図示しない取付ビスによって、内枠５の図示しないネジ止め穴を介して、基部３１のネジ止め穴４５をビス止めすることによって、内枠５に固定される。
【００６７】
内枠５の裏側に通された回転軸４７は、図４に示す遊技球発射装置５１に接続されている。
遊技球発射装置５１は、発射強度調整ハンドル７から指令された発射強度に対応して遊技球１７を発射するものであって、支持部材５２と、支持台５３と、発射機構５５と、発射モータ５７と、発射装置基板５９と、発射強度調整機構６３とを備えている。
【００６８】
これら遊技球発射装置５１の構成は、慣用されているので、詳細な説明は省略するが、発射強度調整ハンドル７の回転軸４７は、発射強度調整機構６３に接続され、回転操作部材４１を右方向（遊技者がパチンコ機１に向かって右回転させる方向）に回転させると、引張スプリング６５が引っ張り強度を増加して、遊技球１７の発射強度を増加させる構成を備えている。
【００６９】
この為、発射強度調整ハンドル７の回転軸４７は、右方向に回転させて、発射強度を増加させる程、引張スプリング６５から強い付勢力を受けることになる。つまり、発射強度調整ハンドル７の回転操作部材４１は、右回転させる程、強い力で回転させる必要があり、その位置を保持するための労力がより必要になる。又、その位置を保持するためには、右回転させる程、より強い力で、回転操作部材４１を固定する必要がある。
【００７０】
このように回転軸４７を介して、発射強度を弱くする方向への付勢力を受ける回転操作部材４１を、図３に示すように、前側支持部材３７と、後側支持部材３５との間に挟んで、回転軸４７を回転の中心にして、回動自在にするために、前側支持部材３７の縁部３７Ａと、後側支持部材３５の縁部３５Ａとの間を、回転操作部材４１が存在する空間分だけ離間させる部材として、前側支持部材３７の後側支持部材３５に面する側に所定長さを有する円柱状の間隔保持凸部材７１が２箇所形成され、後側支持部材３５の椀状部３３内に間隔保持凸部材７１の先端部７１Ａが嵌り込む凹部７３Ａを有すると共に、所定の長さを有する円柱状の間隔保持凹部材７３が２箇所形成されている。又、前側支持部材３７の後側支持部材３５に面する側に間隔保持凸部材７１よりも長い所定長さを有する円柱状の間隔保持凸部材７５が形成され、後側支持部材３５の椀状部３３内に間隔保持凸部材７５の先端部７５Ａが嵌り込む凹部７７Ａを有すると共に、間隔保持凹部材７３よりも短い所定の長さを有する円柱状の間隔保持凹部材７７が形成されている。この間隔保持凸部材７５は、金属部３７Ｂとの間の導電性が確保されており、凹部７７Ａには、発射装置基板５９の図示しないタッチ検出回路のターミナルが介挿されている。このターミナルは、図示しないリード線が図２に示す開口４６を経由して、発射装置基板５９に接続され、遊技者による操作の検出に用いられる。又、このターミナルと、金属部３７Ｂとの間の導通状態を良好に保持するために、この間に図示しない金属製の圧縮バネ部材が介挿され、このバネ部材の中をビス８１が通される。
【００７１】
又、間隔保持凸部材７１の先端部７１Ａには、軸方向にビス穴７１Ｂが形成されており、間隔保持凸部材７５の先端部７５Ａには、軸方向にビス穴７５Ｂが形成されており、間隔保持凹部材７３の軸方向には、椀状部３３から通し穴７３Ｂが形成され、間隔保持凹部材７７の軸方向には、椀状部３３から通し穴７７Ｂが形成されている。これらの３箇所の通し穴７３Ｂ、７３Ｂ、７７Ｂは、図２の（Ｃ）に示すように、軸孔４９を中心にして、同心円上に、軸対称位置に配設され、前側支持部材３７と、後側支持部材３５との固定が均等になるようにされている。
【００７２】
以上の構成により、前側支持部材３７と、後側支持部材３５との間に回転操作部材４１を挟んで、通し穴７３Ｂにビス７９を通して、ビス７９をビス穴７１Ｂにビス止めすることで、前側支持部材３７と、後側支持部材３５とが間隔保持凸部材７１と、間隔保持凹部材７３とによって、離間された状態で組み立て、固定される。又、通し穴７７Ｂにビス８１を通して、ビス８１をビス穴７５Ｂにビス止めすることで、前側支持部材３７と、後側支持部材３５とが間隔保持凸部材７５と、間隔保持凹部材７７とによって、離間された状態で組み立て、固定されると共に、金属部３７Ｂが発射装置基板５９の図示しないタッチ検出回路のターミナルに電気的に接続された状態になる。
【００７３】
前側支持部材３７と、後側支持部材３５との間に介挿される回転操作部材４１は、図５の（Ａ）の正面図、（Ｂ）の右側面図、（Ｃ）の背面図に示すように、円盤状の回転板８３と、回転板８３の外周部にリング状に形成された帯リング８５と、帯リング８５の外周側に、指止め状に３箇所形成された収納部８７、８９、９１と、回転板８３の中心に形成された軸止穴９３と、この軸止穴９３に取り付けられた回転軸４７とを備えている。
【００７４】
回転軸４７の一端部４７Ａは、周溝４７Ｂと、半月キー４７Ｃとが形成されており、他端部４７Ｄは、半月キー４７Ｅが形成されている。
この回転軸４７は、この回転軸４７の半月キー４７Ｃの形状に合致する形状を有する軸止穴９３に一端部４７Ａが挿入され、Ｅ字止め輪９５が周溝４７Ｂに填められることで、回転軸４７と回転板８３との連結が完了され、回転板８３の回転がずれることなく伝達される様に構成されている。
【００７５】
回転軸４７を回転させる回転板８３は、同心状に２箇所の開口９７、９９を備えている。
一方の開口９７は、図３に示す単独存在側の間隔保持凸部材７１ａが通され、他方の開口９９は、他の間隔保持凸部材７１、７５が通される。従って、回転板８３が回転した場合に、同じだけ回転を可能にするため、一方の開口９９の方が他方の開口９７に比べて、間隔保持凸部材７１と、間隔保持凸部材７５との距離分だけ広く開口されている。
【００７６】
これにより、この開口９７、９９を介して、前側支持部材３７と、後側支持部材３５とが所定距離離れて、連結された状態で、回転板８３は、回転軸４７を中心にして、開口９７の回転角度分だけ、自在に回転することが可能になる。
【００７７】
回転板８３の外周にリング状に形成された帯リング８５は、図５に示すように、軸止穴９３を中心にして、円形に整形されており、帯リング８５の内周面８５Ａは、図２の（Ｂ）に示すように、後側支持部材３５の椀状部３３の縁部３５Ａの外周面３５Ｂに沿って覆う状態で、組み付けられるように構成されている。つまり、回転操作部材４１を回転させると、帯リング８５が後側支持部材３５の外周面３５Ｂを覆う状態で、沿って回転する。尚、帯リング８５と、外周面３５Ｂとは、同一距離を保持したままで、相互に移動する。又、帯リング８５と、外周面３５Ｂとは、回転に支障がない程度であれば、接触していてもかまわない。
【００７８】
この様に外周面３５Ｂの外周を回動する帯リング８５に形成されている収納部８７、８９、９１は、図５の（Ｃ）に示すように、この収納部８７、８８、９１を回動させる場合の手の状態と、指の形状などを考慮して、指が掛かる箇所に３箇所配設されている。尚、収納部８７、８８、９１取付位置は、設計事項であり、実験により、適切な位置を決定する。尚、収納部８７、８８、９１の数量も複数であれば、適宜決定される設計事項である。
【００７９】
収納部８７は、遊技者が発射強度調整ハンドル７を操作する場合に、最も左側に位置するものであって、まず、親指が掛かることを想定している。
この収納部８７は、図５の（Ｃ）に示すように、帯リング８５に形成された開口１０１と、この開口１０１および前側支持部材３７側を覆う指当り覆い部１０３と、指当り覆い部１０３から開口１０１方向に形成された突起部１０５と、指当り覆い部１０３の前側支持部材３７側の壁部１０３Ａに取り付けられた球抜き突起部材１０７とを備えている。この球抜き突起部材１０７は、壁部１０３Ａに取り付けられ、図示しないバネ部材によって、常時、図６（図２の（Ａ）に示す発射強度調整ハンドル７のＡ−Ａ断面図）に示す位置に保持されている。又、この球抜き突起部材１０７の一端１０７Ａから他端１０７Ｂ側に押し込むと、球抜き突起部材１０７は、他端１０７Ｂ側に移動するよう構成されている。
【００８０】
収納部８７は、図５および図６の部分断面図に示すように、突起部１０５の先端１０５Ａと、この先端１０５Ａに対向する後側支持部材３５の椀状部３３の縁部３５Ａの外周面３５Ｂと、この外周面３５Ｂに形成された周溝１０９と、開口１０１とによって構成される。
【００８１】
又、収納部８７の突起部１０５の先端１０５Ａの後側支持部材３５側、つまり収納部８７に遊技球１７を挿入する挿入口１０５Ｂに当たる部分は、丸め加工が施されている。しかも、この挿入口１０５Ｂに対向する外周面３５Ｂにも丸め加工が施された丸め加工部３５Ｃが形成されている。
【００８２】
これにより、収納部８７は、図７に示すように、遊技球１７を後側支持部材３５側から、挿入することで、先端１０５Ａと、開口１０１を構成する帯リング８５の２箇所の端部８５Ｂと、図６に示す外周面３５Ｂと、周溝１０９の２箇所の境界部１１１とから構成される。
【００８３】
従って、この収納部８７の特徴は、遊技球１７が収納部８７の回転方向に移動することを突起部１０５及び／又は端部８５Ｂによって規制すると共に、収納部８７が回転操作部材４１の回転に伴って移動する場合には、収納部８７と共に、遊技球１７を移動させる機能を有する。
【００８４】
又、図７に示すように、先端１０５Ａと、外周面３５Ｂとの距離より、距離ｄｔだけ直径が大きい遊技球１７を収納部８７に挿入する場合に、この距離ｄｔ分だけ、収納部８７の各部分を歪ませるだけの、押し込む力を要求させる。この場合に、遊技球１７の外形より大きな開口を形成する挿入口１０５Ｂと、丸め加工部３５Ｃによって、遊技球１７が開口８７Ａに嵌り込んだ状態（図６の（Ｂ）に示す状態）になるため、手探りで被収納物を収納部に入れる場合に、入口となる開口８７Ａが探り当て易くなると共に、収納部８７への収納も広い開口８７Ａから狭い収納部８７に徐々に挿入される状態になり、遊技球１７を収納部８７に容易に押し込むことが可能になる。
【００８５】
更に、図６に示すように、収納部８７内に挿入された遊技球１７は、先端１０５Ａと、境界部１１１との距離に応じた応力を後側支持部材３５と、回転操作部材４１との間に加え、この応力に応じて、回転操作部材４１の回転の阻止力を発生する。つまり、先端１０５Ａと、境界部１１１との距離が小さい程、回転操作部材４１を回転させるために、大きな力を必要とする。尚、これらの諸元は、設計事項であり、各部の材質や寸法などによって変化する。従って、適切な値は、実験によって求める。
【００８６】
又、遊技球１７は、周溝１０９に嵌り込むため、この周溝から遊技球１７を取り去るには、先端１０５Ａと、外周面３５Ｂとの距離より、距離ｄｔだけ直径が大きい遊技球１７を収納部８７から押し出すか、引き出す必要がある。従って、一度、収納部８７に遊技球１７を入れると、回転操作部材４１を回転させた程度では、遊技球１７が自然に落下したり、脱落したりすることが防止される。従って、遊技者は、安心して、遊技を継続することが出来る。
【００８７】
この様に収納部８７に入った遊技球１７を取り出すには、所定の力が必要であるが、収納部８７は、壁部１０３Ａを有しており、遊技球１７を前側支持部材３７側から指などでそのまま押し出すことが出来ない。又、収納部８７は、開口８７Ａが後側支持部材３５側の１面だけであり、図６に示すようにこの開口８７Ａ部分から、奥に遊技球１７が入り込んでいる。従って、遊技球１７を指で引っ張り出すことが出来ない。無理に出そうとすれば、棒状のものでこじて出す必要があり、収納部８７を破損する可能性がある。
【００８８】
この様な場合に、壁部１０３Ａに取り付けられた球抜き突起部材１０７の一端１０７Ａを他端１０７Ｂ側に押し込むことで、遊技球１７を開口８７Ａに押し出して、簡単に収納部８７から遊技球１７を取り出すことが可能になる。
【００８９】
他の収納部８９は、図５の（Ｃ）に示すように、収納部８７とほぼ同一の諸元を有するように構成されているが、突起部１０５に相当する突起部１１３が突起部１０５より僅かに長く構成されている。これにより、突起部１１３の先端１１３Ａと、境界部１１１と
の距離が収納部８７より、僅かに狭くなっている。
【００９０】
これにより、収納部８９は、収納部８７に比べて、先端１１３Ａと、境界部１１１との距離が狭くなり、後側支持部材３５と、回転操作部材４１との間に遊技球１７から加えられる応力が大きくなって、回転操作部材４１の回転の阻止力が収納部８７より大きくなる。尚、これらの諸元は、設計事項であり、各部の材質や寸法などによって変化する。従って、適切な値は、実験によって求める。又、収納部８９は、球抜き突起部材１０７を備え、遊技球１７を取り出すときに用いられる。
【００９１】
又、収納部９１は、図５の（Ｃ）に示すように、収納部８７、８９とほぼ同一の諸元を有するように構成されているが、突起部１０５、１１３に相当する突起部１１５が突起部１１３より僅かに長く構成されている。これにより、突起部１１５の先端１１５Ａと、境界部１１１との距離が収納部８９より、僅かに狭くなっている。
【００９２】
これにより、収納部９１は、収納部８９に比べて、先端１１５Ａと、境界部１１１との距離が狭くなり、後側支持部材３５と、回転操作部材４１との間に遊技球１７から加えられる応力が大きくなって、回転操作部材４１の回転の阻止力が収納部８９より大きくなる。尚、これらの諸元は、設計事項であり、各部の材質や寸法などによって変化する。従って、適切な値は、実験によって求める。又、収納部９１は、球抜き突起部材１０７を備え、遊技球１７を取り出すときに用いられる。
【００９３】
又、収納部８７、８９、９１は、図２の（Ａ）、図５の（Ａ）に示すように、壁部１０３Ａの前側支持部材３７側に回転操作部材４１の回転の阻止力の目安表示が施されている。
【００９４】
例えば、収納部８７は、最も阻止力が小さいことを表現する「弱」表示１１７が施されており、収納部８９は、阻止力が中くらいであることを表現する「中」表示１１９が施されており、収納部９１は、最も阻止力が大きいことを表現する「強」表示１２１が施されている。これにより、遊技者が回転操作部材４１を操作し、固定する場合の目安を提供することが出来る。
【００９５】
このように発射強度を操作するために用いる回転操作部材４１は、図２に示す位置が発射強度が「０」、即ち発射停止位置であり、図８の（Ａ）（Ｂ）（Ｃ）に示す位置が発射強度が最大の位置である。従って、回転操作部材４１は、図２に示す位置から矢印ＹＢ方向に図８に示す位置までの間で、移動し、或いは図８に示す矢印ＹＣ方向に回転移動して、遊技球発射装置５１に発射強度を指令する。ここで、矢印ＹＢ方向に移動すると、発射強度が増大し、矢印ＹＣ方向に移動すると発射強度が低下する。
【００９６】
この場合に、３箇所の収納部８７、８９、９１の内、収納部８７に遊技球１７を収納させると、最も軽い力で、回転操作部材４１を回動させることが出来、かつ回転操作部材４１を図２に示す位置から、図８に示す位置の何れの箇所で、手を離してもその位置を保持する。又、収納部８９に遊技球１７を収納させると、収納部８７に遊技球１７を入れた場合より、重い力で、回転操作部材４１を回動させる必要があり、かつ回転操作部材４１を図２に示す位置から、図８に示す位置の何れの箇所で、手を離してもその位置を保持する。
【００９７】
或いは、収納部９１に遊技球１７を収納させると、収納部８９に遊技球１７を入れた場合より、重い力で、回転操作部材４１を回動させる必要があり、かつ回転操作部材４１を図２に示す位置から、図８に示す位置の何れの箇所で、手を離してもその位置を保持する。
【００９８】
以上に説明したパチンコ機１は、３箇所の収納部８７、８９、９１が、それぞれ相違する力で回転操作部材４１の移動を阻止する力を発生する機能を有し、それぞれに遊技球１７を入れた場合に、それぞれが想定する強度で回転操作部材４１の移動を阻止すると共に、回転操作部材４１を固定部材３９に固定することから、遊技状態に応じた、適切な回転操作部材４１の固定強度の選択を可能にして、遊技者が不満を感じることなく遊技を継続できる様になり、顧客満足度を向上するという極めて優れた効果を奏する。
【００９９】
又、その固定強度の選択や変更が収納部８７、８９、９１に遊技球１７を収納するだけという簡単で、かつ煩わしい操作を行うことなく実行可能であり、使いやすいパチンコ機１が提供されて、顧客満足度を向上するという極めて優れた効果を奏する。
【０１００】
しかも、複数の収納部８７、８９、９１が、それぞれ相違する力で、引張りスプリング６５によって発射強度を弱くする方向に付勢されている回転操作部材４１の移動を阻止する力を発生する機能を有し、例えば、それぞれに遊技球１７を入れた場合に、それぞれが想定する強度で回転操作部材４１の移動を阻止すると共に、回転操作部材４１を固定部材３９に固定することから、遊技状態に応じた、適切な回転操作部材４１の固定強度の選択を可能にして、遊技者が不満を感じることなく遊技を継続できる様になり、顧客満足度を向上するという極めて優れた効果を奏する。
【０１０１】
その上、発射強度が強い側に位置する収納部８９、９１に遊技球１７を収納すると、回転操作部材４１を強く固定することが出来、発射強度の強さの感覚と、固定の強さの感覚とが一致することから、遊技状態に合った、或いは遊技嗜好に合った固定強度の選択や変更が試行錯誤を行うことなく、適切に実行出来るようになり、遊技者が誤った使い方をして、機能が十分に発揮できないままで使用され続ける弊害が防止され、顧客満足度が向上されるという極めて優れた効果を奏する。
【０１０２】
又、回転操作部材４１に設けられた表示１１７、１１９、１２１を見ることで、回転操作部材４１の固定の程度の目安を付け、遊技状態に合った、或いは遊技嗜好に合った固定強度の選択や変更が試行錯誤を行うことなく、適切に実行出来るようになり、遊技者が誤った使い方をして、機能が十分に発揮できないままで使用され続ける弊害が防止され、顧客満足度が向上されるという極めて優れた効果を奏する。
【０１０３】
球抜き突起部材１０７を押すだけで、収納部８７、８９、９１に収納した遊技球１７を取り外すことが容易にでき、遊技状態に応じて固定強度を変更する作業が容易になる。
従って、遊技状態に応じて、適切な回転操作部材４１の固定強度の選択を行うことが容易になることで、遊技者が不満やストレスを感じることなく遊技を継続できる様になり、顧客満足度を向上するという極めて優れた効果を奏する。
【０１０４】
尚、本発明は、上記の実施の形態に限定されるものでなく、本発明の要旨を変更しない範囲で、様々な態様の実施が可能である。
例えば、被収納物としては、遊技球１７に限るものでなく、メダルやコイン、厚紙、紙を折り曲げたものなどを想定し、収納形状を間隙状のものとしても良い。
【０１０５】
「弱」「中」「強」表示１１７、１１９、１２１は、前側支持部材３５にしても良く、発射強度調整ハンドル７の近傍の内枠３上に表示しても良い。
又、固定部材３９は、前側支持部材３７と、後側支持部材３５との２体を組み合わせたものでも良く、或いは前側、或いは後側の別のない１体式のものであっても良い。
【０１０６】
収納部８７の開口８７Ａが後側（遊技機１側）から遊技球１７を入れるように形成されているが、これに替えて、前側（遊技者側）から遊技球１７を入れるように形成されていても良い。例えば、壁部１０３Ａや球抜き突起部材１０７の替わりに、開口８７Ａとほぼ同様な構成を設け、後側の開口８７Ａ及び前側の開口８７Ａの両方から遊技球１７を出し入れ可能にしても良いし、或いは後から遊技球１７を入れて、前側に出す構造、つまり後側に角を落とした開口８７Ａを形成し、前側も開口にする構造にしたり、前側から遊技球１７を入れて、後側から出す構造、つまり前側に角を落とした開口８７Ａを形成し、後側を開口にした構造にしても良い。
【０１０７】
又、切り欠いた部分である挿入口１０５Ｂと、丸め加工部３５Ｃと両方設けても良く、或いは回転操作部材４１側の挿入口１０５Ｂ側の一方だけにしたり、固定部材３９側の丸め加工部３５Ｃ側の一方だけにしても良い。
【０１０８】
これにより、遊技の開始時に、遊技球１７を前側から収納部８７、８９、９１に挿入し、その後、遊技の終了時に、前側から遊技球１７を指で後側に押し出すと言ったことが可能になるため、遊技球１７の脱着が容易で且つ手軽に行え、発射強度調整ハンドル７の使用感が向上されるという極めて優れた効果を奏する。
【０１０９】
しかも、遊技球１７を収納部８７、８９、９１から押し出すための球抜き突起部材１０７を収納部８７、８９、９１に設けなくても良くなり、設計が簡素化されると共に、部品数の削減効果と、組み立て工数の低減効果とを得られるという優れた効果を奏する。
【０１１０】
その上、収納部８７、８９、９１内が見えるようになって、収納部８７、８９、９１内に遊技球１７が入っているか否かが容易に確認可能になり、又、収納部８７、８９、９１内から遊技球１７を回転操作部材４１の位置に関わりなく、取り出したり、或いは遊技球１７を収納部８７、８９、９１内に入れることが可能になり、遊技者の利便性が向上されるという効果を奏する。
【０１１１】
しかも、固定部材３９の外周面３５Ｂに板状のメダルを収納する収納部を形成し、回転操作部材４１の内周面８５Ａを、回転操作部材４１を右側に回す程、内径側に拡大する形状にしても良い。この場合には、固定部材３９に被収納物が保持される保持部が形成され、回転操作部材４１に移動部が構成されることになる。又、固定部材３９の外周面３５Ｂに遊技球１７を、挿入する穴や溝を形成し、挿入した遊技球１７の一部分が回転操作部材４１の内周面８５Ａに当接する様にしても良い。
【０１１２】
又、外周面３５Ｂに形成された周溝１０９に替えて、或いは加えて先端１０５Ａ部分に遊技球１７が収納部８７から出ることを留め、阻止する突起を設けたり、遊技球１７が嵌り込む凹部や溝を形成しても良い。
【０１１３】
しかも、周溝１０９に替えて、或いは加えて、周溝１０９と、丸め加工部３５Ｃとの間に当たる位置に、リング状の突起を形成しても良い。
又、棒状の部材で遊技球１７を押し出す球抜き突起部材１０７に代えて、遊技球１７やメダルなどを引き出したり、抜き出したりする部材を用いたり、遊技球１７やメダルなどを指で押し出したり、引っ張り出したりする構成にしても良い。又、角棒状の部材で遊技球１７やメダルなどを押し出したり引っ張り出したり、板状の部材で押し出したり、引っ張り出したりする構成にしても良い。
【０１１４】
次に特許請求の範囲の構成と、発明の実施の形態との対応を説明する。
請求項１の発明の発射強度調整ハンドルは、発射強度調整ハンドル７、遊技球は、遊技球１７、遊技領域は、遊技面１９、発射手段は、遊技球発射装置５１、遊技機は、パチンコ機１、固定部材は、固定部材３９、可動部材は、回転操作部材４１、複数の収納部は、収納部８７、８９、９１、それぞれ相違する収納形状は、先端１０５Ａと境界部１１１との距離が、先端１１３Ａと境界部１１１との距離と相違すること、又、先端１１５Ａと境界部１１１との距離とも相違することが対応する。
【０１１５】
以後、共通箇所の説明は、省略する。
請求項２の被収納物は、遊技球１７が対応する。
請求項３の付勢部材は、引っ張りスプリング６５が対応する。
【０１１６】
発射手段の発射強度を弱くする方向は、矢印ＹＣ方向が対応する。
請求項４の板状の被収納物は、尚書きに説明した、メダル、コイン、厚紙、紙を折り曲げたものなどが対応する。
【０１１７】
請求項５の付勢部材の付勢力が増大する側は、矢印ＹＢ方向、可動部材の移動を阻止する力が増大する収納形状は、先端１０５Ａと境界部１１１との距離が、先端１１３Ａと境界部１１１との距離より狭いこと、又、先端１１５Ａと境界部１１１との距離が更に狭いことが対応する。
【０１１８】
請求項６の収納部による可動部材の移動を阻止する力の目安表示を上記固定部材、可動部材、或いは遊技機に設けたことは、尚書きの内容が対応する。
請求項７の目安表示は、可動部材の収納部の近傍に設けられることは、壁部１０３Ａに設けられた「弱」「中」「強」表示１１７、１１９、１２１が対応する。
【０１１９】
請求項８の排出部材は、球抜き突起部材１０７が対応する。
請求項９の収納室は、先端１０５Ａと境界部１１１とによって、構成される空間が対応し、後開口は、開口８７Ａが対応する。前開口は、図示しないが壁部１０３Ａや球抜き突起部材１０７の替わりに、開口８７Ａとほぼ同様な構成が備えられているものが対応する。
【０１２０】
請求項１０の入口は、開口８７Ａが対応する。
請求項１１の切欠き部は、挿入口１０５Ｂの形状と、丸め加工部３５Ｃとが対応する。
請求項１２の円弧状は、挿入口１０５Ｂの円弧状の形状と、丸め加工部３５Ｃの円弧状の形状とが対応する。
【図面の簡単な説明】
【０１２１】
【図１】遊技機としてのパチンコ機１を前面側から見た正面図である。
【図２】発射強度調整ハンドル７の外観図である。
【図３】発射強度調整ハンドル７の組み立て説明図である。
【図４】遊技球発射装置５１の斜視図である。
【図５】回転操作部材４１の正面図、右側面図、背面図である。
【図６】発射強度調整ハンドル７のＡ−Ａ断面図である。
【図７】収納部８７の説明図である。
【図８】発射強度調整ハンドル７の外観図である。
【符号の説明】
【０１２２】
１…パチンコ機、３…外枠、５…内枠、
７…発射強度調整ハンドル、９…遊技盤、１１…鍵飾り、
１３…停止ボタン、１５…特別図柄表示装置、１７…遊技球、
１９…遊技面、２３…始動口、２５…大入賞口、
２７…上受け皿、２９…スピーカ、３１…基部、
３３…椀状部、３５…後側支持部材、３５Ａ…縁部、
３５Ｂ…外周面、３５Ｃ…丸め加工部、３７…前側支持部材、
３７Ａ…縁部、３７Ｂ…金属部、３９…固定部材、
４１…回転操作部材、４３…遊技機取付面、４５…ネジ止め穴、
４６…開口、４７…回転軸、４７Ａ…一端部、
４７Ｂ…周溝、４７Ｃ、４７Ｅ…半月キー、４７Ｄ…他端部、
４９…軸孔、５１…遊技球発射装置、５２…支持部材、
５３…支持台、５５…発射機構、５７…発射モータ、
５９…発射装置基板、６３…発射強度調整機構、６５…引張スプリング、
７１、７１ａ、７５…間隔保持凸部材、７１Ａ、７５Ａ…先端部、
７１Ｂ、７５Ｂ、…ビス穴、７３、７７…間隔保持凹部材、７３Ａ、７７Ａ…凹部、
７３Ｂ、７７Ｂ…通し穴、７９、８１…ビス、８３…回転板、
８５…帯リング、８５Ａ…内周面、８５Ｂ…端部、
８７、８９、９１…収納部、８７Ａ…開口、９３…軸止穴、
９５…Ｅ字止め輪、９７、９９、１０１…開口、１０３…指当り覆い部、
１０３Ａ…壁部、１０５…突起部、１０５Ａ、１１３Ａ、１１５Ａ…先端、
１０５Ｂ…挿入口、１０７…球抜き突起部材、１０７Ａ…一端、
１０９…周溝、１１１…境界部、１１３、１１５…突起部、１１７…「弱」表示、
１１９…「中」表示、１２１…「強」表示、ｄｔ…距離
【図１】
2005245690.tif 000003
【図２】
2005245690.tif 000004
【図３】
2005245690.tif 000005
【図４】
2005245690.tif 000006
【図５】
2005245690.tif 000007
【図６】
2005245690.tif 000008
【図７】
2005245690.tif 000009
【図８】
2005245690.tif 000010